(57)【特許請求の範囲】
【請求項１】
放射線画像を担持する放射線の照射を受けて前記放射線画像を記録し、該記録した放射線画像に応じた電荷信号が出力される放射線画像検出器から出力された前記電荷信号を、該電荷信号を蓄積するコンデンサと該コンデンサに並列に接続されたリセットスイッチとを備えた積分アンプにより積分し、該積分された電気信号をローパスフィルタに入力し、前記ローパスフィルタから出力されたフィルタ処理済電気信号をサンプルホールド回路により保持して画像信号として検出した後、前記積分アンプのリセットスイッチを短絡することによって前記コンデンサをリセットし、前記積分アンプによる積分開始から前記積分アンプのリセットまでの処理を繰り返して行う信号検出方法において、
前記積分された電気信号の前記ローパスフィルタへの入力開始から前記フィルタ処理済電気信号の保持までの間における前記ローパスフィルタの前記時定数よりも前記積分アンプのリセットから次の積分開始までの間における前記ローパスフィルタの時定数の方が小さくなるように前記ローパスフィルタの時定数を変更することを特徴とする信号検出方法。
【請求項２】
放射線画像を担持する放射線の照射を受けて前記放射線画像を記録し、該記録された放射線画像に応じた電荷信号を出力する放射線画像検出器から出力された前記電荷信号を蓄積するコンデンサと該コンデンサに並列に接続されたリセットスイッチとを備えた積分アンプと、該積分された電気信号が入力され該電気信号にフィルタ処理を施してフィルタ処理済電気信号を出力するローパスフィルタと、該ローパスフィルタから出力されたフィルタ処理済電気信号を保持して画像信号として検出するサンプルホールド回路と、該サンプルホールド回路により前記フィルタ処理済電気信号が保持された後、前記積分アンプのリセットスイッチを短絡することによって前記コンデンサをリセットし、前記積分アンプによる積分開始から前記積分アンプのリセットまでの処理が繰り返して行われるよう制御信号を出力する制御回路とを備えた信号検出回路において、
前記積分された電気信号の前記ローパスフィルタへの入力開始から前記フィルタ処理済電気信号の保持までの間における前記ローパスフィルタの前記時定数よりも前記積分アンプのリセットから次の積分開始までの間における前記ローパスフィルタの時定数の方が小さくなるように前記ローパスフィルタの時定数を変更する時定数変更手段を有することを特徴とする信号検出装置。
【請求項３】
前記時定数変更手段が、前記ローパスフィルタを構成する少なくとも１つの抵抗素子に並列に設けられたアナログスイッチを備えたものであることを特徴とする請求項２記載の信号検出装置。
【請求項４】
前記放射線画像検出器から出力された電荷信号が、前記放射線画像検出器が読取光で走査されることにより前記放射線画像検出器から出力されたものであることを特徴とする請求項２または３記載の信号検出装置。
【発明の詳細な説明】
【技術分野】
【０００１】
本発明は、放射線画像を担持する放射線の照射を受けて放射線画像を記録する放射線画像検出器から出力された電荷信号を積分アンプにより積分し、その積分された電気信号をローパスフィルタを通して画像信号として検出する信号検出方法および装置に関するものである。
【背景技術】
【０００２】
従来より、医療分野などにおいて、被写体を透過した放射線の照射を受けて被写体に関する放射線画像を記録し、その記録された放射線画像に応じた電荷信号を出力する放射線画像検出器が各種提案、実用化されている。
【０００３】
上記のような放射線画像検出器としては、たとえば、放射線の照射により電荷を発生する半導体材料を利用した放射線画像検出器や、放射線の照射によりその放射線エネルギーを蓄積し、読取光の照射により輝尽発光を示す蓄積性蛍光体を利用した蓄積性蛍光体シートを用いたものなどがある。
【０００４】
そして、上記半導体材料を利用した放射線画像検出器としては、たとえば、線状の読取光の走査により電荷信号が読み出される、いわゆる光読取方式のものや、２次元状に多数配列されたＴＦＴスイッチをＯＮ・ＯＦＦすることにより電荷信号が読み出される、いわゆるＴＦＴ方式のものなどが提案されている。また、蓄積性蛍光体シートを用いたものとしては、読取光の照射により蓄積性蛍光体シートから発せられた輝尽発光光を、線状に光電変換素子が配列されたラインセンサにより受光し、その受光した輝尽発光光をラインセンサにより光電変換することにより電荷信号が読み出されるものなどがある。
【０００５】
そして、上記のような放射線画像検出器から出力された電荷信号は、後段に接続された積分アンプ（電荷を増幅するのでチャージアンプともいう）により積分され、画像信号として検出される。上記のように積分アンプが利用されるのは、Ｉ−Ｖアンプなどと比較すると、その回路構成上、高感度化が容易であり、集積しやすいからである。
【０００６】
ここで、上記積分アンプのノイズＱＮは、下式により表される大きさとなる。
【数１】
0004619640.tif 000002
【０００７】
したがって、ノイズを小さくするためには、ｆＮを小さくする必要があり、つまり積分アンプの後段に接続されるローパスフィルタの時定数τを大きくする必要がある。特に、上記の放射線画像検出器のうち光読取方式のものや、蓄積性蛍光体シートを利用したものなどは、その応答速度が遅いためサンプリング時間ｔｓを長くする必要があり、そのため尚更ｆＮの値を小さくする必要がある。
【０００８】
【非特許文献１】“Large-Area, Low-Noise Amorphous Silicon Imaging System” Proc. SPIE 3301, p.2,1998
【発明の開示】
【発明が解決しようとする課題】
【０００９】
しかしながら、上記のように積分アンプの後段に接続されるローパスフィルタの時定数τを大きくした場合には、積分アンプをリセットして積分された電荷を放電する際、その過渡応答が長くなるため、所定のシーケンス時間内に読取りを終了させようとすると、読取光を照射する時間が短くなり、放射線画像検出器から読み出される電荷信号の大きさが小さくなってしまうため、Ｓ／Ｎが劣化してしまう。一方、所定のＳ／Ｎを維持しようとすると、読取光の照射時間として一定時間確保する必要があり、そうするとシーケンス時間が長くなり、放射線画像の読取時間が長くなってしまう。
【００１０】
本発明は、上記事情に鑑み、放射線画像を担持する放射線の照射を受けて放射線画像を記録する放射線画像検出器から出力された電荷信号を積分アンプにより積分し、その積分された電気信号をローパスフィルタを通して画像信号として検出する信号検出方法および装置において、信号検出の高速化および検出された信号の高Ｓ／Ｎ化を図ることができる信号検出方法および装置を提供することを目的とするものである。
【課題を解決するための手段】
【００１１】
本発明の信号検出方法は、放射線画像を担持する放射線の照射を受けて放射線画像を記録し、その記録した放射線画像に応じた電荷信号が出力される放射線画像検出器から出力された電荷信号を積分アンプにより積分し、その積分された電気信号をローパスフィルタに入力し、ローパスフィルタから出力されたフィルタ処理済電気信号をサンプルホールド回路により保持して画像信号として検出した後、積分アンプをリセットし、積分アンプによる積分開始から積分アンプのリセットまでの処理を繰り返して行う信号検出方法において、上記積分された電気信号のローパスフィルタへの入力開始からフィルタ処理済電気信号の保持までの間におけるローパスフィルタの時定数よりも積分アンプのリセットから次の積分開始までの間におけるローパスフィルタの時定数の方が小さくなるようにローパスフィルタの時定数を変更することを特徴とする。
【００１２】
本発明の信号検出装置は、放射線画像を担持する放射線の照射を受けて放射線画像を記録し、その記録された放射線画像に応じた電荷信号を出力する放射線画像検出器から出力された電荷信号を積分する積分アンプと、その積分された電気信号が入力されその電気信号にフィルタ処理を施してフィルタ処理済電気信号を出力するローパスフィルタと、ローパスフィルタから出力されたフィルタ処理済電気信号を保持して画像信号として検出するサンプルホールド回路と、サンプルホールド回路によりフィルタ処理済電気信号が保持された後、積分アンプをリセットし、積分アンプによる積分開始から積分アンプのリセットまでの処理が繰り返して行われるよう制御信号を出力する制御回路とを備えた信号検出回路において、上記積分された電気信号のローパスフィルタへの入力開始からフィルタ処理済電気信号の保持までの間におけるローパスフィルタの時定数よりも積分アンプのリセットから次の積分開始までの間におけるローパスフィルタの時定数の方が小さくなるようにローパスフィルタの時定数を変更する時定数変更手段を有することを特徴とする。
【００１３】
また、上記信号検出装置においては、時定数変更手段を、ローパスフィルタを構成する少なくとも１つの抵抗素子に並列に設けられたアナログスイッチを備えたものとすることができる。
【００１４】
また、上記信号検出装置においては、放射線画像検出器から出力された電荷信号として、放射線画像検出器が読取光で走査されることにより放射線画像検出器から出力されたものを採用することができる。
【発明の効果】
【００１５】
本発明の信号検出方法および装置によれば、放射線画像検出器から出力された電荷信号を積分アンプにより積分し、その積分された電気信号をローパスフィルタに入力し、ローパスフィルタから出力されたフィルタ処理済電気信号をサンプルホールド回路により保持して画像信号として検出した後、積分アンプをリセットし、積分アンプによる積分開始から積分アンプのリセットまでの処理を繰り返して行う場合おいて、上記積分された電気信号のローパスフィルタへの入力開始からフィルタ処理済電気信号の保持までの間におけるローパスフィルタの時定数よりも積分アンプのリセットから次の積分開始までの間におけるローパスフィルタの時定数の方が小さくなるように時定数変更手段によりローパスフィルタの時定数を変更するようにしたので、積分アンプのリセットから次の積分開始までにおけるローパスフィルタの過渡応答の時間を短縮することができ、これにより積分時間を十分にとることができるので、信号検出の高速化および検出された信号の高Ｓ／Ｎ化を図ることができる。
【００１６】
また、上記信号検出装置において、時定数変更手段を、ローパスフィルタを構成する少なくとも１つの抵抗素子に並列に設けられたアナログスイッチを備えたものとした場合には、簡易な構成で時定数の変更を行うことができる。
【００１７】
また、上記信号検出装置において、放射線画像検出器から出力された電荷信号として、放射線画像検出器が読取光で走査されることにより放射線画像検出器から出力されたものを採用した場合には、上記のような光読取方式の放射線画像検出器は特に読取光の照射に対する電荷信号の出力の応答速度が遅いので、上記のような効果をより顕著に得ることができる。
【発明を実施するための最良の形態】
【００１８】
以下、図面を参照して本発明の信号検出方法を実施する信号検出装置の一実施形態を利用した放射線画像記録読取装置について説明する。図１に、本発明の信号検出装置の一実施形態を利用した放射線画像記録読取装置の概略構成図を示す。
【００１９】
本放射線画像記録読取装置は、図示省略した放射線源と、放射線源から射出され、被写体を通過した放射線の照射を受けて放射線画像を記録し、その放射線画像に応じた電荷信号を出力する放射線画像検出器１０と、放射線画像検出器１０を線状の読取光で走査する読取光源部２０と、読取光源部２０による読取光の走査により放射線画像検出器１０から出力された電荷信号に基づいて上記放射線画像に応じたデジタル画像信号を出力する信号検出装置３０とを備えている。
【００２０】
信号検出装置３０は、放射線画像検出器１０から出力された電荷信号を積分する積分アンプ３１、積分アンプ３１により積分された電気信号が入力されるローパスフィルタ３２、ローパスフィルタ３２から出力されたフィルタ処理済電気信号を保持する２つのサンプルホールド回路３３、２つのサンプルホールド回路３３に保持されたフィルタ処理済電気信号の差分を出力する差分アンプ３４、および差分アンプから出力されたアナログ信号をデジタル信号に変換するＡ／Ｄ変換器３５を備えている。
【００２１】
積分アンプ３１は、放射線画像検出器１０から出力された電荷信号を蓄積するコンデンサ３１ａとコンデンサ３１ａに蓄積された電荷信号を放電させるためのリセットスイッチ３１ｂとを備えている。
【００２２】
ローパスフィルタ３２は、抵抗素子３２ａとコンデンサ３２ｂとを備えており、その時定数τは、抵抗素子３２ａの抵抗値Ｒとコンデンサの容量Ｃの積ＲＣにより決定されるものである。
【００２３】
ここで、本実施形態の信号検出装置３０は、上記ローパスフィルタ３２の時定数τを変更する時定数変更手段３６を備えている。時定数変更手段３６は、ローパスフィルタ３２を構成する抵抗素子３２ａに並列に設けられたスイッチを備えており、このスイッチのＯＮとＯＦＦとを切り換えることによりローパスフィルタ３２の時定数τを変更させるものである。
【００２４】
たとえば、時定数変更手段３６のスイッチをＯＮしたときのスイッチの抵抗値をＲＯＮ、ローパスフィルタ３２を構成する抵抗素子３２ａの抵抗値をＲＯＦＦとすると、上記スイッチをＯＮしたときのローパスフィルタ３２の時定数τは以下のようにして算出される。
【００２５】
τ＝ＲＣ＝ＲＯＦＦ・｛ＲＯＮ／（ＲＯＦＦ＋ＲＯＮ）｝・Ｃ
＝{ＲＯＮ／（１＋（ＲＯＮ／ＲＯＦＦ））}・Ｃ
≒ＲＯＮ・Ｃ
ただし、一般に、ＲＯＮ≪ＲＯＦＦとする。
【００２６】
たとえば、ＲＯＦＦ＝１０ｋΩ、ＲＯＮ＝１Ωとすると、
上記スイッチをＯＮしたときの時定数τとスイッチがＯＦＦのときの時定数τの比は、
ＲＯＮ／ＲＯＦＦ＝１／１００００
となり、スイッチをＯＦＦしたときには、ローパスフィルタ３２は１００００倍のスピードで整定することがわかる。
【００２７】
サンプルホールド回路３３は、スイッチ３３ａと、ローパスフィルタ３２から出力されたフィルタ処理済電気信号を蓄積するコンデンサ３２ｂと、コンデンサ３２ｂに蓄積されたフィルタ処理済電気信号を出力するバッファアンプ３３ｃとを備えている。
【００２８】
なお、上記のように本実施形態の信号検出装置３０におけるコンデンサ３２ｂは、ローパスフィルタ３２の一部を構成するものであるとともに、サンプルホールド回路３３の一部を構成するものであり、共用されるものである。
【００２９】
また、積分アンプ３１のリセットスイッチ３１ｂ、時定数変更手段３６のスイッチ、サンプルホールド回路３３のスイッチ３３ａ、およびＡ／Ｄ変換器３５などの動作タイミングについては、制御回路３７から出力された制御信号により制御される。
【００３０】
放射線画像検出器１０は、詳細には、図２に示すように、放射線画像を担持した放射線を透過する第１の電極層１１、第１の電極層１１を透過した放射線の照射を受けることにより電荷を発生する記録用光導電層１２、記録用光導電層１２において発生した電荷に対しては絶縁体として作用し、且つその電荷と逆極性の輸送電荷に対しては導電体として作用する電荷輸送層１３、読取光の照射を受けることにより電荷を発生する読取用光導電層１４、および読取光を透過する線状に延びる線状電極１５ａが平行に配列された第２の電極層１５をこの順に積層してなるものである。そして、記録用光導電層１２と電荷輸送層１３との界面には放射線の照射量に応じて発生した電荷が蓄積される蓄電部１６が形成される。
【００３１】
また、図１においては、放射線画像検出器１０の１本の線状電極１５ａに接続される信号検出装置３０のみを示しており、その他の線状電極１５ａに接続される信号検出装置３０は図示省略してある。
【００３２】
また、Ａ／Ｄ変換器３５は、各線状電極１５ａについてそれぞれ設けるようにしてもよいし、マルチプレクサを設けて差分アンプ３４から出力されたアナログ信号を各線状電極毎に切り替えて１つのＡ／Ｄ変換器３５に入力するようにしてもよい。
【００３３】
なお、放射線画像検出器１０および読取光源部２０は、上記読取光源部２０の読取光源の長さ方向と放射線画像検出器１０の線状電極１５ａの長さ方向とが略直交するように設置されている。また、読取光源部２０は、線状電極１５ａの長さ方向に線状の読取光源を移動させて読取光を走査するものであるが、読取光源を移動させる移動機構などについては図示省略してある。
【００３４】
次に、本放射線画像記録読取装置の作用について説明する。
【００３５】
まず、放射線画像検出器１０の第１の電極層１１が負に帯電し、第２の電極層１５が正に帯電するように電圧印加された状態において、放射線源から被写体４０に向けて放射線Ｌ１が照射される。読取光源から射出された放射線Ｌ１は、図３（Ａ）に示すように、被写体４０全体に照射され、被写体４０において放射線を透過する透過部４０ａを透過した放射線が放射線画像検出器１０の第１の電極層１１側から照射される。なお、被写体４０において放射線を透過しない遮断部４０ｂに照射された放射線は放射線画像検出器１０には照射されない。
【００３６】
そして、放射線画像検出器１０に照射された放射線Ｌ１は、第１の電極層１１を透過し、記録用光導電層１２に照射される。そして、記録用光導電層１２において放射線の照射により電荷対が発生し、そのうち正の電荷は第１の電極層１１に帯電した負の電荷と結合して消滅し、負の電荷は潜像電荷として記録用光導電層１２と電荷輸送層１３との界面に形成される蓄電部１６に蓄積されて放射線画像が記録される。
【００３７】
そして、次に、図３（Ｂ）に示すように、第１の電極層１１が接地された状態において、第２の電極層１５側から読取光Ｌ２が照射され、読取光Ｌ２は線状電極１５ａを透過して読取用光導電層１４に照射される。読取光Ｌ２の照射により読取用光導電層１４において発生した正の電荷が蓄電部１６における潜像電荷と結合するとともに、負の電荷が第２の電極層１５の線状電極１５ａに帯電した正の電荷と結合する。
【００３８】
一方、上記読取光の照射の際、信号検出装置３０における積分アンプ３１のリセットスイッチ３１ｂは開放状態にされており、上記のようにして読取用光導電層１４において発生した負の電荷が第２の電極層１５の線状電極１５ａに帯電した正の電荷と結合することにより、その結合した電荷量に応じた大きさの電荷信号が積分アンプ３１のコンデンサ３１ａに蓄積される。
【００３９】
そして、上記のようにして積分アンプ３１のリセットスイッチ３１ｂが開放されて積分が開始されるとともに、その積分された電気信号はローパスフィルタ３２に入力されるが、図４のタイミングチャートに示すように、上記リセットスイッチ３１ｂとともに時定数変更手段３６のスイッチも開放される。つまり、このときのローパスフィルタ３２の時定数τはＲＯＦＦＣとなる。そして、上記２つのスイッチが開放した直後に、２つのサンプルホールド回路３３のうちの一方のサンプルホールド回路３３のスイッチ３３ａが短絡され、サンプルホールド回路３３のコンデンサ３２ｂに第１のローパスフィルタ処理済信号が保持される（図４のＳ／Ｈ１参照）。そして、その後、所定の時間経過後に、他方のサンプルホールド回路３３のスイッチ３３ａが短絡され、上記サンプルホールド回路３３のコンデンサ３２ｂに第２のローパスフィルタ処理済信号が保持される（図４のＳ／Ｈ２参照）。そして、上記のようにして２つのサンプルホールド回路３３により第１および第２のローパスフィルタ処理済信号が保持された後、積分アンプ３１のリセットスイッチ３１ｂが短絡されるとともに、時定数変更手段３６のスイッチも短絡される。つまり、このとき積分アンプ３１のコンデンサ３１ｂに蓄積された電荷は放電されるとともに、ローパスフィルタ３２の時定数τはＲＯＮＣとなって非常に短い時定数となるので、図４に示すように、ローパスフィルタ３２の出力電位は所定の電位Ｖrefに即座に整定する。
【００４０】
上記のようにして２つのサンプルホールド回路３３により保持された第１および第２のフィルタ処理済電気信号は、それぞれバッファアンプ３３Ｃを通って差動アンプ３４に出力される。そして、差動アンプ３４において第１および第２のフィルタ処理済電気信号の差分が算出され、Ａ／Ｄ変換器３５に出力される。Ａ／Ｄ変換器３５は、入力されたアナログ信号である差分信号をデジタル変換して画像信号として出力する。
【００４１】
上記のようにしてＡ／Ｄ変換器３５から画像信号が出力された後は、２つのサンプルホールド回路３３のスイッチ３３ａが開放され、コンデンサ３２ｂに蓄積された電荷が放電される。
【００４２】
そして、再び、積分アンプ３１におけるリセットスイッチ３１ｂが開放されて積分が開始されるとともに、時定数変更手段３６のスイッチが開放されてローパスフィルタ３２が
時定数ＲＯＦＦＣで動作を開始する。
【００４３】
読取光源部２０の１ラインの照射に対し、上記のような画像信号の検出が各線状電極１５ａに接続された信号検出回路３０毎に行われて１ライン分の画像信号の検出が行われる。そして、読取光源部２０により線状の読取光が、図１の矢印Ｙ方向に走査されるのと同期して上記１ライン分の画像信号の検出がそれぞれ行われ、最終的には放射線画像検出器１０の全面分の画像信号が検出される。
【００４４】
上記実施形態の放射線画像記録読取装置によれば、積分アンプ３１により積分された電気信号のローパスフィルタ３２への入力開始からフィルタ処理済電気信号の保持までにおけるローパスフィルタの時定数よりも積分アンプ３１のリセットから次の積分開始までの間におけるローパスフィルタの時定数の方が小さくなるように時定数変更手段３６によりローパスフィルタの時定数を変更するようにしたので、積分アンプ３１のリセットから次の積分開始までにおけるローパスフィルタ３２の過渡応答の時間を短縮することができ、これにより積分時間を十分にとることができるので、信号検出の高速化および検出された信号の高Ｓ／Ｎ化を図ることができる。
【００４５】
また、上記実施形態の信号検出装置３０においては、２つのサンプルホールド回路３２を設け、いわゆる相関２重サンプリング処理を行うようにしたが、必ずしもその形態に限らず、サンプルホールド回路３２を１つだけ設け、そのサンプルホールド回路３２で所定のタイミングにより保持したフィルタ処理済電気信号を画像信号として検出するようにしてもよい。上記のような構成とした場合においても、積分アンプ３１のリセットスイッチ３１ｂのＯＮ・ＯＦＦのタイミングと時定数変更手段３６のスイッチのＯＮ・ＯＦＦのタイミングは、上記と同様に行うようにすればよい。
【００４６】
また、上記実施形態のように積分アンプ３１のリセットスイッチ３１ｂのＯＮ・ＯＦＦのタイミングと時定数変更手段３６のスイッチのＯＮ・ＯＦＦのタイミングとは、同じタイミングとすることが望ましいが、必ずしも同じにする必要はない。
【００４７】
また、上記実施形態の信号検出装置３０においては、ローパスフィルタ３２を構成するコンデンサとサンプルホールド回路３３を構成するコンデンサとを共用するようにしたが、必ずしもこのような構成限らず、図５に示すように、ローパスフィルタ３２を構成するコンデンサ３２ｂとサンプルホールド回路３３を構成するコンデンサ３３ｂををそれぞれも設けるようにしてもよい。
【００４８】
また、上記実施形態の信号検出装置３０においては、時定数変更手段３６としてスイッチを、ローパスフィルタ３２を構成する抵抗素子３２ａに並列の設けるようにしたが、これに限らず、たとえば、図６に示すように、スイッチをローパスフィルタ３２を構成する抵抗素子３２ａに直列に設け、これと銅線とを切り換えることによりローパスフィルタ３２の時定数を変更するようにしてもよい。
【００４９】
また、上記実施形態においては、信号検出装置に入力される電荷信号を出力するものとして、いわゆる光読取方式の放射線画像検出器を用いたもの説明したが、これに限らず、たとえば、いわゆるＴＦＴ方式の放射線画像検出器を用いるようにしてもよいし、また、蓄積性蛍光体シートから発せられた輝尽発光光を光電変換素子により検出して電荷信号を出力する放射線画像検出器を用いるようにしてもよい。
【００５０】
また、上記実施形態においては、放射線源、放射線画像検出器１０、読取光源部２０および信号検出装置３０から放射線画像記録読取装置を構成するようにしたが、放射線源を設けずに放射線画像検出器１０、読取光源部２０および信号検出装置３０から放射線画像読取装置を構成するようにしてもよい。
【図面の簡単な説明】
【００５１】
【図１】本発明の信号検出装置の一実施形態を用いた放射線画像記録読取装置の概略構成図
【図２】図１に示す放射線画像記録読取装置における放射線画像検出器の概略構成図
【図３】図１に示す放射線画像記録読取装置における放射線画像検出器の作用を説明するための図
【図４】図１に示す放射線画像記録読取装置における信号検出装置の動作タイミングを説明するためのタイミングチャート
【図５】本発明の信号検出装置のその他の実施形態を示す図
【図６】本発明の信号検出装置における時定数変更手段のその他の実施形態を示す図
【符号の説明】
【００５２】
１０  放射線画像検出器
１１  第１の電極層
１２  記録用光導電層
１３  電荷輸送層
１４  読取用光導電層
１５  第２の電極層
１６  蓄電部
２０  読取光源部
３０  信号検出装置
３１  積分アンプ
３２  ローパスフィルタ
３３  サンプルホールド回路
３４  差分アンプ
３５  Ａ／Ｄ変換器
３６  時定数変更手段
３７  制御回路
４０  被写体
【図１】
0004619640.tif 000003
【図２】
0004619640.tif 000004
【図３】
0004619640.tif 000005
【図４】
0004619640.tif 000006
【図５】
0004619640.tif 000007
【図６】
0004619640.tif 000008